(57)【要約】      （修正有）【課題】外箱の底面からの衝撃が物品に伝わりにくい梱包具を提供する。【解決手段】梱包具１０は、板材１１が、物品１５が載置される矩形の本体部と、本体部の４辺の各々に、表側から見て山折りで折られる外周折り目２０ａ〜２０ｄを介して接続された複数の側面部とを備える。フィルム１２の端部１２ｂが、第１側面部及び第２側面部２２の各々に固定され、フィルムのうち固定された箇所の間の部分により、本体部との間に物品の収容部が形成される。第３側面部２３及び第４側面部の各々の外端には、表側から見て谷折りで折られる立上げ用折り目３１を介して立上げ部３３、３４が接続される。立上げ部は、第３側面部及び第４側面部よりも高さが高く、立上げ用折り目での谷折りにより、収容部への出入り口を閉塞する。【選択図】図２
0003231704.tif 000002
【実用新案登録請求の範囲】
【請求項１】
板材と、板材の表側を覆うフィルムとを備え、
前記板材と前記フィルムとの間に、梱包対象の物品を収容する収容部が形成される梱包具であって、
前記板材は、
前記物品が載置される矩形の本体部と、
前記本体部の４辺の各々に、表側から見て山折りで折られる外周折り目を介して接続された複数の側面部とを備え、
前記フィルムは、前記複数の側面部のうち前記本体部を挟む第１側面部及び第２側面部の各々に固定され、当該フィルムのうち前記固定された箇所の間の部分により、前記本体部との間に前記収容部が形成され、
前記複数の側面部のうち第３側面部及び第４側面部の各々の外端には、表側から見て谷折りで折られる立上げ用折り目を介して立上げ部が接続され、
前記立上げ部は、前記第３側面部及び前記第４側面部よりも高さが高く、前記立上げ用折り目での谷折りにより、前記収容部への出入り口を閉塞するように立ち上がる、梱包具。
【請求項２】
前記板材は、前記本体部の各角の外側に設けられて、隣り合う側面部間を接続する複数の接続部をさらに備え、
前記接続部には、前記角側から斜め方向に、表側から見て山折りで折られる斜めの折り目が設けられ、
前記接続部は、前記隣り合う側面部のうち一方の側面部には、折り目を介することなく接続され、他方の側面部には、表側から見て谷折りで折られる接続用折り目を介して接続されており、
前記接続部に接続された各側面部が、前記外周折り目での山折りにより前記本体部に対し折り曲げられると、前記接続部が前記立上げ部側に突出する、請求項１に記載の梱包具。
【請求項３】
前記本体部には、該本体部の各辺に沿って、表側から見て谷折りで折られる凹部用折り目が形成されている、請求項１又は２に記載の梱包具。
【請求項４】
前記本体部には、各角の近傍領域を、角部として他の部分から分離する切れ目が設けられ、
前記凹部用折り目は、自身が沿う辺の一端の角部の前記切れ目から、他端の角部の前記切れ目まで延びている、請求項３に記載の梱包具。
【請求項５】
前記切れ目は、前記本体部から前記外周折り目を超えて前記側面部まで延びている、請求項４に記載の梱包具。
【考案の詳細な説明】
【技術分野】
【０００１】
本考案は、板材とフィルムとの間に物品を収容する梱包具に関する。
【背景技術】
【０００２】
従来から、板材とフィルムとの間に梱包対象の物品を収容する梱包具が知られている。この種の梱包具では、フィルムがある程度張った状態となるように、例えばフィルムの両端部が板材に固定されている。これにより、フィルムのうち両端部間の中間部分と板材との間には、物品の収容部が形成される。
【０００３】
特許文献１には、筒状のフィルムと、フィルムが巻かれた板状部材とを備えた梱包具が記載されている。この梱包具では、板状部材が、梱包される物品が配置される配置面と、配置面に隣接する隣接面と、配置面に隣接する立ち上げ部とを有する。この梱包具は、外箱内に収納されていることにより、立ち上げ部が配置面に対して折り曲げられた状態であって、梱包具の底部が外箱の底面に接触又は近接し、かつ、立ち上げ部の上部が外箱の上面に接触又は近接している状態が保持されている。
【先行技術文献】
【特許文献】
【０００４】
【特許文献１】特開６０４２５８１号公報
【考案の概要】
【考案が解決しようとする課題】
【０００５】
ところで、この種の梱包具は、特許文献１に記載されているように、物品を収容した状態で、段ボール箱等の外箱に入れられて配送される。しかし、外箱に入れられた状態では、外箱の底面上に緩衝材を敷き詰めなければ、梱包具の板材のうち物品が載置された部分（本体部）が外箱の底面に接触又は近接する。そのため、外箱の底面からの衝撃が、物品に伝わりやすいという問題がある。
【０００６】
本考案は、このような事情に鑑みてなされたものであり、梱包具を収容する外箱の底面から、衝撃が物品に伝わりにくい梱包具を実現することを目的とする。
【課題を解決するための手段】
【０００７】
上述の課題を解決するべく、第１の考案は、板材と、板材の表側を覆うフィルムとを備え、板材とフィルムとの間に、梱包対象の物品を収容する収容部が形成される梱包具であって、板材は、物品が載置される矩形の本体部と、本体部の４辺の各々に、表側から見て山折りで折られる外周折り目を介して接続された複数の側面部とを備え、フィルムは、複数の側面部のうち本体部を挟む第１側面部及び第２側面部の各々に固定され、当該フィルムのうち固定された箇所の間の部分により、本体部との間に収容部が形成され、複数の側面部のうち第３側面部及び第４側面部の各々の外端には、表側から見て谷折りで折られる立上げ用折り目を介して立上げ部が接続され、立上げ部は、第３側面部及び第４側面部よりも高さが高く、立上げ用折り目での谷折りにより、収容部への出入り口を閉塞するように立ち上がる。
【０００８】
第２の考案は、第１の考案において、板材は、本体部の各角の外側に設けられて、隣り合う側面部間を接続する複数の接続部をさらに備え、接続部には、角側から斜め方向に、表側から見て山折りで折られる斜めの折り目が設けられ、接続部は、隣り合う側面部のうち一方の側面部には、折り目を介することなく接続され、他方の側面部には、表側から見て谷折りで折られる接続用折り目を介して接続されており、接続部に接続された各側面部が、外周折り目での山折りにより本体部に対し折り曲げられると、接続部が立上げ部側に突出する。
【０００９】
第３の考案は、第１又は第２の考案において、本体部には、該本体部の各辺に沿って、表側から見て谷折りで折られる凹部用折り目が形成されている。
【００１０】
第４の考案は、第３の考案において、本体部には、各角の近傍領域を、角部として他の部分から分離する切れ目が設けられ、凹部用折り目は、自身が沿う辺の一端の角部の切れ目から、他端の角部の切れ目まで延びている。
【００１１】
第５の考案は、第４の考案において、切れ目は、本体部から外周折り目を超えて側面部まで延びている。
【考案の効果】
【００１２】
本考案では、梱包具の板材のうち物品が載置される矩形の本体部の４辺に、山折りで折られる外周折り目を介して、複数の側面部が接続されている。そのため、外周折り目を山折りにすることで、本体部の裏側から各側面部が突出する状態となる。物品を収容した状態の梱包具を外箱に入れた状態では、外箱の底面に各側面部の下端（外端）が当たり、本体部が浮いた状態となる。従って、外箱の底面からの衝撃が物品に伝わりにくい梱包具を実現することができる。
【００１３】
さらに、本考案では、複数の側面部のうち第３側面部及び第４側面部の各々の外端に、立上げ用折り目を介して、立上げ部が接続されている。立上げ部は、第３側面部及び第４側面部よりも高さが高い。立上げ用折り目での谷折りにより、立上げ部を立ち上げると、立上げ部により収容部の出入り口がある程度塞がれる。そのため、例えば配送中に、収容部の出入り口から物品がはみ出すことを抑制できる。
【図面の簡単な説明】
【００１４】
【図１】図１は、本実施形態に係る梱包具について未使用状態の上面図である。
【図２】図２は、本実施形態に係る梱包具について、各外周折り目を山折りした状態の斜視図である。
【図３】図３は、本実施形態に係る梱包具について、外箱に収容することが可能な梱包可能状態の斜視図である。
【図４】図４は、図３のＡ−Ａ断面図である。
【考案を実施するための形態】
【００１５】
以下、図面を参照しながら、本考案の実施形態を詳細に説明する。なお、以下の実施形態は、本考案の一例であって、本考案、その適用物、あるいはその用途の範囲を制限することを意図するものではない。
【００１６】
梱包具１０は、物品１５の梱包に用いられる道具である。梱包具１０は、図１に示すように、板材１１と、板材１１の表側を覆う矩形のフィルム１２とを備えている。フィルム１２には透明フィルムが用いられる。梱包具１０では、板材１１の表面上においてフィルム１２がある程度張った状態となるように、フィルム１２のうち互いに対向する第１端部１２ａ及び第２端部１２ｂが、接着剤等の固定手段により板材１１に固定されている。そのため、フィルム１２のうち第１端部１２ａと第２端部１２ｂとの間の中間部分１２ｃと、板材１１との間には、梱包対象の物品１５の収容部１６が形成される（図４参照）。また、板材１１には、複数の折り目が設けられている。梱包具１０は、図１に示す未使用状態から、収容部１６に物品１５を収容し、且つ、折り目を折り曲げることで、段ボール箱等の外箱（図示省略）内に梱包する時の梱包可能状態となる。
【００１７】
なお、図１では、フィルム１２に斜線ハッチングを付けており、さらにフィルム１２のうち第１端部１２ａと第２端部１２ｂにドットハッチングを付けている。また、以下では、フィルム１２のうち第１端部１２ａと第２端部１２ｂが互いに対向する方向を「第１方向」、第１方向に直交する方向を「第２方向」という。第１方向は、フィルム１２の引張方向（延伸方向）でもある。また、収容部１６に対し物品１５を出し入れする方向は、第２方向となる。本明細書において「矩形」は正方形を含む。
【００１８】
［未使用状態の梱包具］
板材１１は、１枚の平板に対し、複数の折り目等を形成することにより作製されたものである。板材１１の材料は、段ボール、厚紙、樹脂板などを用いることができる。板材１１は、図１に示すように、物品１５が載置される矩形の本体部２０と、表側から見て山折りで折られる外周折り目２０ａ〜２０ｄを介して本体部２０の４辺２０ａ〜２０ｄにそれぞれ接続された複数の側面部２１〜２４と、本体部２０の各角の外側に設けられて隣り合う側面部２１〜２４間を接続する複数の接続部２５とを備えている。本体部２０の４辺２０ａ〜２０ｄのうち２辺２０ａ，２０ｂは、第２方向に略平行であり、残りの２辺２０ｃ，２０ｄは第１方向に略平行である。なお、図１において、表側から見て山折りの折り目は一点鎖線、谷折りの折り目は二点鎖線で表す。
【００１９】
複数の側面部２１〜２４は、第１方向に本体部２０を挟む第１側面部２１及び第２側面部２２と、第２方向に本体部２０を挟む第３側面部２３及び第４側面部２４とにより構成されている。第１側面部２１の外端部（図１では右端部）にはフィルム１２の第１端部１２ａが貼り付けられ、第２側面部２２の外端部（図１では左端部）にはフィルム１２の第２端部１２ｂが貼り付けられている。
【００２０】
本体部２０は、略全体がフィルム１２の中間部分１２ｃに覆われた部分である。本体部２０の外周は、第１方向に互いに対向する第１辺２０ａ及び第２辺２０ｂと、第２方向に互いに対向する第３辺２０ｃ及び第４辺２０ｄとにより構成されている。各辺は２０ａ〜２０ｄ、外周折り目となっている。
【００２１】
本体部２０には、本体部２０を窪ませるために、本体部２０の各角の近傍に設けられた４本の切れ目４０と、各辺２０ａ〜２０ｄに沿って延びる４本の凹部用折り目４１〜４４とが設けられている。４本の凹部用折り目４１〜４４は、一対の曲線折り目４１，４２と、一対の直線折り目４３，４４とにより構成されている。なお、４本の凹部用折り目４１〜４４は、全てが直線状であってもよいし、全てが曲線状であってもよい。
【００２２】
各切れ目４０は、平面視における所定の形状に沿って本体部２０の角近傍を、線状に切断した箇所である。各切れ目４０は、本体部２０において角の近傍を通って、その角の近傍領域を角部４５として他の部分から分離する。本体部２０では、各切れ目４０が、角部４５を挟む２辺のうち一方の辺から第１方向に延びて、途中で折れ曲がり、折れ曲がり箇所から第２方向に延びて他方の辺に至る。各角部４５は、切れ目４０により、１つの角が丸みを帯びた略矩形（略正方形）状に形成されている。なお、各角部４５は、円弧状など他の形状の切れ目４０により形成されていてもよい。
【００２３】
各切れ目４０は、本体部２０から外周折り目２０ａ〜２０ｄを超えて側面部２１〜２４まで延びている。各切れ目４０は、両端ともに側面部２１〜２４まで延びている。第３側面２３及び第４側面２４には、第１方向に対向する一方の角部４５の切れ目４０の端と、他方の角部４５の切れ目４０の端とを結ぶ凹部補助折り目４６，４７がそれぞれ形成されている。第３側面２３の凹部補助折り目４６は、第３辺２０ｃの近傍に設けられて第３辺２０ｃに沿って延び、第４側面２４の凹部補助折り目４７は、第４辺２０ｄの近傍に設けられて第４辺２０ｄに沿って延びている。各凹部補助折り目４６，４７は、表側から見て山折りで折られる。
【００２４】
一対の曲線折り目４１，４２は、一方が本体部２０の第１辺２０ａの近傍に設けられて第１辺２０ａに沿って延び、他方が第２辺２０ｂの近傍に設けられて第２辺２０ｂに沿って延びている。各曲線折り目４１，４２は、全体として第２方向に沿って、自身が沿う辺２０ａ，２０ｂの一端の角部４５の切れ目４０から、他端の角部４５の切れ目４０まで延びている。各曲線折り目４１，４２は、平面視において中央部が内側に膨らむ曲線状（例えば円弧状）に形成されている。
【００２５】
一対の直線折り目４３，４４は、一方が本体部２０の第３辺２０ｃの近傍に設けられて第３辺２０ｃに沿って延び、他方が第４辺２０ｄの近傍に設けられて第４辺２０ｄに沿って延びている。各直線折り目４３，４４は、第１方向に真っすぐ、自身が沿う辺２０ｃ，２０ｄの一端の角部４５の切れ目４０から、他端の角部４５の切れ目４０まで延びている。
【００２６】
第１〜第４側面部２１〜２４の各々は、本体部２０に接続する辺が長辺となる矩形状に形成されている。各側面部２１〜２４は、短辺の長さが互いに等しい。各側面部２１〜２４は、図２に示すように、外周折り目２０ａ〜２０ｄでの山折りにより、本体部２０に対し折り曲げられると、梱包具１０の脚部として機能する。
【００２７】
第１〜第４側面部２１〜２４のうち第３側面部２３及び第４側面部２４の各々の外端には、表側から見て谷折りで折られる立上げ用折り目３１，３２を介して立上げ部３３，３４がそれぞれ接続されている。各立上げ部３３，３４は、側面部２３，２４に接続する辺が長辺となる略矩形状に形成されている。各立上げ部３３，３４は、第３側面部２３及び第４側面部２４よりも高さが高く、立上げ用折り目３１，３２での谷折りにより、図３に示すように、収容部１６への出入り口を閉塞するように立ち上がる。
【００２８】
複数の接続部２５の各々は、板材１１の一部である。各接続部２５は、第１又は第２側面部２１，２２に対し折り目を介することなく接続され、第３又は第４側面部２３，２４に対し、表側から見て谷折りで折られる接続用折り目２６を介して接続されている。折り目により板材１１を領域分けした場合に、各接続部２５は、第１又は第２側面部２１，２２と同じ領域に属する。各接続部２５には、角側から斜め方向に、表側から見て山折りで折られる斜めの折り目２７が設けられている。また、各接続部２５の内側には、接続用折り目２６と斜めの折り目２７とをそれぞれ一辺とする三角形状の貫通孔２８が形成されている。各接続部２５には、外側から切り欠いた切り欠き２９が設けられている。切り欠き２９は、斜めの折り目２７で屈曲している。
【００２９】
［梱包具の使用方法及び実施形態の効果］
梱包具１０を使用する際は、使用者は、まずフィルム１２の外周のうち第１方向に沿う部分から、板材１１の本体部２０とフィルム１２との間に、物品１５を挿入する。図２の矢印は、物品１５の挿入方向を表す。
【００３０】
この状態で、使用者により、外周折り目２０ａ〜２０ｄでの山折りにより、本体部２０に対し各側面部２１〜２４を略垂直に折り曲げると、図２及び図４に示すように、脚部として機能する各側面部２１〜２４により、本体部２０は浮いた状態となる。また、フィルム１２が、第１側面部２１及び第２側面部２２により引っ張られて物品１５に押し付けられる。また、各接続部２５が、立上げ部３３，３４側に突出した状態となる。
【００３１】
そして、この状態から、立上げ用折り目３１，３２での谷折りにより、図３に示すように、立上げ部３３，３４を立ち上げると、梱包可能状態となる。この状態で、使用者は、直方体等の外箱の中に梱包具１０を収容することができる。
【００３２】
本実施形態では、梱包可能状態において、本体部２０の裏側から各側面部２１〜２４が突出する。そのため、物品１５を収容した状態の梱包具１０を外箱に入れた状態では、外箱の底面に各側面部２１〜２４の下端（外端）が当たり、本体部２０が浮いた状態となる。従って、外箱の底面からの衝撃が物品１５に伝わりにくい梱包具１０を実現することができる。
【００３３】
また、本実施形態では、立上げ部３３，３４により収容部１６の出入り口がある程度塞がれるため、例えば配送中に、収容部１６の出入り口から物品１５がはみ出すことを抑制できる。例えば、外箱の内側における立上げ部３３，３４の外側の隙間に、緩衝材を入れることで、立上げ部３３，３４の角度を略垂直に保つことができる。この場合は、収容部１６の出入り口から物品１５がはみ出すことをさらに抑制することができる。また、立上げ部３３，３４側に突出する各接続部２５により、外箱の側面までの距離を確保できるため、側面からの衝撃も物品１５に伝わりにくくなる。なお、第２方向に対向する接続部２５の先端間の距離よりも、外箱の一辺の長さが短い場合には、立上げ部３３，３４の裏側に重なるように接続部２５を折り曲げてもよい。
【００３４】
また、本実施形態では、本体部２０の凹部用折り目４１〜４４が谷折りされることで、フィルム１２に対し本体部２０が離間して、収納部１６が上下に広がる。そのため、フィルム１２を適切な張力で引っ張った状態で、厚みがある物品１５を収納することができる。また、本体部２０では、各凹部用折り目４１〜４４が切れ目４０間を延びているため、各凹部用折り目４１〜４４を無理なく折ることができる。さらに、各切れ目４０が側面部２１〜２４にまで延び、さらに凹部補助折り目４６，４７が設けられているため、第３及び第４側面部２３，２４の上部が内側に撓みやすく、収納部１６を上下にさらに広げやすくなる。
【００３５】
［実施形態の変形例］
上述の実施形態では、各側面部２１〜２４が、外周折り目２０ａ〜２０ｄでの山折りにより本体部２０に対し折り曲げられると、立ち上げ部３３，３４側に突出したが、平面視で図２とは直交する方向に突出してもよいし、接続部２５が内側に畳み込まれるようにしてもよい。前者の場合、各接続部２５は、第３又は第４側面部２３，２４に対し折り目を介することなく接続され、第１又は第２側面部２１，２２に対し、表側から見て谷折りで折られる接続用折り目を介して接続される。斜めの折り目２７は、表側から見て山折りされる。一方、後者の場合、接続部２５は、隣り合う側面部２１〜２４の両方に対し、表側から見て谷折りで折られる接続用折り目を介して接続される。また、斜めの折り目２７は、表側から見て谷折りされる。
【００３６】
上述の実施形態では、本体部２０に凹部用折り目４１〜４４を設けたが、凹部用折り目４１〜４４を省略してもよい。また、凹部補助折り目４６，４７を省略してもよい。
【産業上の利用可能性】
【００３７】
本考案は、板材とフィルムとの間に物品を収容する梱包具等に適用可能である。
【符号の説明】
【００３８】
１０    梱包具
１１    板材
１２    フィルム
１５    物品
１６    収容部
２０    本体部
２０ａ〜２０ｄ    外周折り目
２１〜２４    側面部
３１〜３２    立上げ用折り目
３３〜３４    立上げ部
【図１】
0003231704.tif 000003
【図２】
0003231704.tif 000004
【図３】
0003231704.tif 000005
【図４】
0003231704.tif 000006